(57)【要約】【課題】  部品点数を削減してコストを低減することができる外向き４列円すいころ軸受を提供する。【解決手段】  外向き４列円すいころ軸受１０は、軸方向に互いに隣接して配置される一対の複列外輪１１，１２を備える外輪ユニット１３と、複列内輪１４と、複列内輪１４の軸方向両側にそれぞれ配置される一対の単列内輪１５，１６とを備える内輪ユニット１７と、一対の複列外輪１１，１２に設けられた４列の外輪軌道面と複列内輪１４及び一対の単列内輪１５，１６に設けられた４列の内輪軌道面との間に周方向に転動可能に介装された４列の複数の円すいころ１８と、を備え、軸方向両端に位置する２列の円すいころ１８がそれぞれ外向きに配置される。一対の複列外輪１１，１２の軸方向に互いに対向する端面１１ｃ，１２ｃ及び複列内輪１４と一対の単列内輪１５，１６との軸方向に互いに対向する端面１４ｃ，１５ｂ、１４ｄ，１６ｂのうちの少なくとも一方が直接接触している。【選択図】  図１
2006312977.tif 000002
【特許請求の範囲】
【請求項１】
軸方向に互いに隣接して配置される一対の複列外輪を備える外輪ユニットと、
複列内輪と、該複列内輪の軸方向両側にそれぞれ配置される一対の単列内輪とを備える内輪ユニットと、
前記一対の複列外輪の各内周面に設けられた４列の外輪軌道面と前記複列内輪及び前記一対の単列内輪の各外周面に設けられた４列の内輪軌道面との間に周方向に転動可能に介装された４列の複数の円すいころと、
を備え、軸方向両端に位置する２列の円すいころがそれぞれ外向きに配置される外向き４列円すいころ軸受であって、
前記一対の複列外輪の軸方向に互いに対向する端面及び前記複列内輪と前記一対の単列内輪との軸方向に互いに対向する端面のうちの少なくとも一方が直接接触していることを特徴とする外向き４列円すいころ軸受。
【発明の詳細な説明】
【技術分野】
【０００１】
本発明は、例えば、圧延機のロールネック用軸受として用いられる外向き４列円すいころ軸受に関する。
【背景技術】
【０００２】
従来、圧延機のワークロール、中間ロール、バックアップロール等を支承するロールネック用軸受として、４列円すいころ軸受が種々提案されている（例えば、特許文献１〜３参照。）。この種の軸受のうち、外向きの４列円すいころ軸受としては、例えば、図５に示すものが知られている。
【０００３】
この外向き４列円すいころ軸受１００は、一対の複列外輪１０１，１０２が外輪間座１０３を介して軸方向に互いに隣接配置される外輪ユニット１０４と、複列内輪１０５の軸方向両側にそれぞれ内輪間座１０６，１０７を介して一対の単列内輪１０８，１０９が配置される内輪ユニット１１０とを備えている。
【０００４】
外輪ユニット１０３の一対の複列外輪１０１，１０２の各内周面に設けられた４列の外輪軌道面１０１ａ，１０１ｂ，１０２ａ，１０２ｂと内輪ユニット１１０の複列内輪１０５及び一対の単列内輪１０８，１０９の各外周面に設けられた４列の内輪軌道面１０８ａ，１０５ａ，１０５ｂ，１０９ａとの間には、４列の円すいころ１１１が保持器１１２を介して周方向に転動可能に介装されており、また、軸方向の両端に配置される２列の複数の円すいころ１１１はそれぞれ外向きに配置されている。
【０００５】
また、特許文献３では、軸方向の両端に配置される２列の複数の円すいころがそれぞれ内向きに配置される内向きの４列円すいころ軸受が開示されており、外輪間座及び内輪間座を設けずに外輪ユニット及び内輪ユニットが構成されている。
【特許文献１】特開２００４−１６９８０６号公報
【特許文献２】特開２００４−７６７５８号公報
【特許文献３】特開平５−２４８４３０号公報
【発明の開示】
【発明が解決しようとする課題】
【０００６】
しかしながら、上記従来の外向き４列円すいころ軸受１００においては、一対の複列外輪１０１，１０２の間に外輪間座１０３を介装し、また、複列内輪１０５と一対の単列内輪１０８，１０９との間にそれぞれ内輪間座１０６，１０７を介装しているため、部品点数が多くなるばかりか、取り扱いが面倒になって、コスト高になるという課題がある。また、特許文献３では、外向き４列円すいころ軸受における上記課題については考慮していない。
【０００７】
本発明は、上記課題を解決するためになされたものであり、その目的は、部品点数を削減してコストを低減することができる外向き４列円すいころ軸受を提供することにある。
【課題を解決するための手段】
【０００８】
上記目的は、下記構成によって達成される。
（１）軸方向に互いに隣接して配置される一対の複列外輪を備える外輪ユニットと、
複列内輪と、該複列内輪の軸方向両側にそれぞれ配置される一対の単列内輪とを備える内輪ユニットと、
前記一対の複列外輪の各内周面に設けられた４列の外輪軌道面と前記複列内輪及び前記一対の単列内輪の各外周面に設けられた４列の内輪軌道面との間に周方向に転動可能に介装された４列の複数の円すいころと、
を備え、軸方向両端に位置する２列の円すいころがそれぞれ外向きに配置される外向き４列円すいころ軸受であって、
前記一対の複列外輪の軸方向に互いに対向する端面及び前記複列内輪と前記一対の単列内輪との軸方向に互いに対向する端面のうちの少なくとも一方が直接接触していることを特徴とする外向き４列円すいころ軸受。
【発明の効果】
【０００９】
本発明によれば、一対の複列外輪の軸方向に互いに対向する端面及び複列内輪と２列の単列内輪との軸方向に互いに対向する端面のうちの少なくとも一方が直接接触しているので、外輪間座と内輪間座の少なくとも一方を不要にすることができる。これにより、外向き４列円すいころ軸受の部品点数を削減することができると共に、取り扱いを容易にすることができ、軸受コストを低減することができる。
【発明を実施するための最良の形態】
【００１０】
以下、本発明の各実施形態に係る外向き４列円すいころ軸受について図を参照して説明する。
【００１１】
図１は本発明の第１の実施形態である外向き４列円すいころ軸受を説明するための要部断面図である。本実施形態である外向き４列円すいころ軸受１０は、図１に示すように、軸方向に互いに隣接して配置される一対の複列外輪１１，１２を備える外輪ユニット１３と、複列内輪１４と、複列内輪１４の軸方向両側にそれぞれ配置される一対の単列内輪１５，１６とを備える内輪ユニット１７とを備えている。
【００１２】
外輪ユニット１３の一対の複列外輪１１，１２の各内周面に設けられた４列の外輪軌道面１１ａ，１１ｂ，１２ａ，１２ｂと内輪ユニット１７の複列内輪１４及び一対の単列内輪１５，１６の各外周面に設けられた４列の外輪軌道面１５ａ，１４ａ，１４ｂ，１６ａとの間には、４列の複数の円すいころ１８が保持器１９を介して周方向に転動可能に介装されており、軸方向両端に位置する２列の円すいころ１８がそれぞれ外向きに配置される。
【００１３】
ここで、本実施形態では、外輪ユニット１３の一対の複列外輪１１，１２の軸方向に互いに対向する端面１１ｃ，１２ｃが直接接触し、内輪ユニット１７の複列内輪１４と一対の単列内輪１５，１６との軸方向に互いに対向する端面１４ｃ，１５ｂ、１４ｄ，１６ｂが直接接触している。
【００１４】
従って、本実施形態では、外輪ユニット１３の一対の複列外輪１１，１２の軸方向に互いに対向する端面１１ｃ，１２ｃ及び内輪ユニット１７の複列内輪１４と一対の単列内輪１５，１６との軸方向に互いに対向する端面１４ｃ，１５ｂ、１４ｄ，１６ｂがそれぞれ直接接触しているので、外輪間座及び内輪間座を不要にすることができる。これにより、外向き４列円すいころ軸受１０の部品点数を削減することができると共に、取り扱いを容易にすることができ、軸受コストを低減することができる。
【００１５】
また、図１に示す外向きの４列円すいころ軸受１０では、軸方向両側に位置する２列の円すいころ１８は、単列内輪１５，１６の軸方向両端部に形成された鍔部によって軸方向に案内されているので、外輪ユニット１３の幅を内輪ユニット１７に対して小さくすることができ、外輪ユニット１３の軸方向外側のスペースが狭い場合にも適用できる。
【００１６】
（第２実施形態）
次に、図２を参照して、本発明の第２実施形態である外向き４列円すいころ軸受を説明する。なお、第１実施形態と同等部分については同一符号を付して、説明を省略或は簡略化する。
【００１７】
本実施形態の外向き４列円すいころ軸受２０は、図２に示すように、外輪ユニット１３の一対の複列外輪１１，１２との間に外輪間座２１が介装される点において、第１実施形態のものと異なる。内輪ユニット１７の複列内輪１４と一対の単列内輪１５，１６との軸方向に互いに対向する端面１４ｃ，１５ｂ、１４ｄ，１６ｂは直接接触している。
【００１８】
従って、本実施形態では、内輪ユニット１７の複列内輪１４と一対の単列内輪１５，１６との軸方向に互いに対向する端面１４ｃ，１５ｂ、１４ｄ，１６ｂは直接接触しているので、内輪間座を不要にすることができる。これにより、外向き４列円すいころ軸受２０の部品点数を削減することができると共に、取り扱いを容易にすることができ、軸受コストを低減することができる。
その他の構成及び作用については、第１実施形態のものと同様である。
【００１９】
（第３実施形態）
次に、図３を参照して、本発明の第３実施形態である外向き４列円すいころ軸受を説明する。なお、第１実施形態と同等部分については同一符号を付して、説明を省略或は簡略化する。
【００２０】
本実施形態の外向き４列円すいころ軸受３０は、図３に示すように、内輪ユニット１７の複列内輪１４と一対の単列内輪１５，１６との間に内輪間座３１，３２が介装される点において、第１実施形態のものと異なる。外輪ユニット１３の一対の複列外輪１１，１２の軸方向に互いに対向する端面１１ｃ，１２ｃは直接接触している。
【００２１】
従って、本実施形態では、外輪ユニット１３の一対の複列外輪１１，１２の軸方向に互いに対向する端面１１ｃ，１２ｃは直接接触しているので、外輪間座を不要にすることができる。これにより、外向き４列円すいころ軸受３０の部品点数を削減することができると共に、取り扱いを容易にすることができ、軸受コストを低減することができる。
その他の構成及び作用については、第１実施形態のものと同様である。
【００２２】
なお、本発明は、前述した実施形態に限定されるものではなく、適宜、変形、改良等が可能である。
【００２３】
例えば、図４に示す第１実施形態の変形例である外向き４列円すいころ軸受４０のように、本発明は、複列内輪１４’及び一対の単列内輪１５’，１６’の各内周面が、連続したテーパ状となるように形成される内輪ユニット１７’においても適用することができる。
【図面の簡単な説明】
【００２４】
【図１】本発明の第１実施形態である外向き４列円すいころ軸受を説明するための要部断面図である。
【図２】本発明の第２実施形態である外向き４列円すいころ軸受を説明するための要部断面図である。
【図３】本発明の第３実施形態である外向き４列円すいころ軸受を説明するための要部断面図である。
【図４】本発明の第１実施形態の変形例である外向き４列円すいころ軸受を説明するための要部断面図である。
【図５】従来の外向き４列円すいころ軸受を説明するための要部断面図である。
【符号の説明】
【００２５】
１０，２０，３０，４０  外向き４列円すいころ軸受
１１，１２  複列外輪
１３  外輪ユニット
１４  複列内輪
１５，１６  単列内輪
１７  内輪ユニット
１１ａ，１１ｂ，１２ａ，１２ｂ  外輪軌道面
１１ｃ，１２ｃ  端面
１４ｃ，１５ｂ  端面
１４ｄ，１６ｂ  端面
１５ａ，１４ｂ，１４ｂ，１６ａ  内輪軌道面
１８  円すいころ
１９  保持器
【図１】
2006312977.tif 000003
【図２】
2006312977.tif 000004
【図３】
2006312977.tif 000005
【図４】
2006312977.tif 000006
【図５】
2006312977.tif 000007